(57)【要約】【課題】表示デバイスを有効に活用することが可能な携帯端末を提供すること。【解決手段】携帯端末は、メインディスプレイ２１及び透明サブディスプレイ２２を有する第１筐体と、第２筐体と、第１筐体の一方の端部と第２筐体の他方の端部とを結合するヒンジ部と、第１筐体と第２筐体との開状態及び閉状態を検出する検出部３３とを備える。さらに、携帯端末は、検出部３３により開状態が検出された場合には、付加情報を第１の向きにして透明サブディスプレイ２２に表示させるよう制御し、検出部３３により閉状態が検出された場合には、付加情報を、第１の向きを反転させた第２の向きにして透明サブディスプレイ２２に表示させるよう制御する制御部を備える。【選択図】図４
2011155439.tif 000002
【特許請求の範囲】
【請求項１】
メインディスプレイと、透明サブディスプレイと、一方の面及び他方の面のそれぞれから前記透明サブディスプレイを視認可能にするために配置された開口部とを有する第１筐体と、
キー操作部を有する第２筐体と、
前記第１筐体の一方の端部と前記第２筐体の他方の端部とを結合する共に、当該結合部分に形成される回転軸を中心にして前記第１筐体を前記第２筐体に対して相対的に回転させることにより、前記第１筐体と前記第２筐体とを開状態又は閉状態に遷移可能にするヒンジ部と、
前記第１筐体と前記第２筐体との開状態及び閉状態を検出する検出部と、
前記検出部により開状態が検出された場合には、付加情報を第１の向きにして前記透明サブディスプレイに表示させるよう制御すると共に、前記メインディスプレイに主情報を表示させるよう制御し、前記検出部により閉状態が検出された場合には、付加情報を、第１の向きを反転させた第２の向きにして前記透明サブディスプレイに表示させるよう制御する制御部と、を備える携帯端末。
【請求項２】
通信部と、
電源部と、をさらに備え、
前記キー操作部は、複数のキーと、前記第２筐体の内側に配置されて、前記キーの照明となる発光部とを備え、
前記複数のキーのうちの一部の第１キーは、前記第１筐体と前記第２筐体とが閉状態となる場合に、前記透明サブディスプレイに対向する位置に配置され、
前記第１キーに対応して配置された発光部は、前記通信部により検知した電話の着信、前記通信部により検知したメールの受信、及び前記電源部における容量の状態のうち少なくとも１つを報知する請求項１に記載の携帯端末。
【請求項３】
前記制御部は、
前記メインディスプレイにおいて消費される電力が省電力化されるように、前記メインディスプレイを省電力モードに移行させることが可能であり、
前記メインディスプレイを省電力モードに移行させるよう制御した状態において、前記通信部を利用して電話の通話が行われる場合には、前記透明サブディスプレイのみ表示を行わせる請求項２に記載の携帯端末。
【請求項４】
前記透明サブディスプレイは、前記第１筐体において、前記メインディスプレイよりも、一方の端部側、又は前記一方の端部とは反対の他方の端部側に配置される請求項１から３のいずれか１項に記載の携帯端末。
【請求項５】
前記付加情報は、任意に設定可能である請求項１から４のいずれか１項に記載の携帯端末。
【発明の詳細な説明】
【技術分野】
【０００１】
本発明は、メインディスプレイとサブディスプレイとを備える携帯端末に関する。
【背景技術】
【０００２】
携帯電話機等の携帯端末には、表示デバイスを有する第１筐体と、キー操作部を有する第２筐体と、第１筐体と第２筐体とを結合するヒンジ部とを備える折り畳み型携帯端末がある。このような携帯端末（第１の携帯端末）には、表示デバイスとしてのメインディスプレイが第１筐体の前面に配置され、表示デバイスとしてのサブディスプレイが第１筐体の背面に配置される。
【０００３】
また、携帯端末（第２の携帯端末）には、表示デバイスとしての透過型液晶ディスプレイを第１筐体に有するものがある。この携帯端末は、第１筐体と第２筐体とが開状態の場合に、透過型液晶ディスプレイに表示される画像を第１筐体の一方の面に設けられた主表示部に映し、第１筐体と第２筐体とが閉状態の場合に、透過型液晶ディスプレイに表示される画像を一方の面とは反対の他方の面に設けられた副表示部に映す（特許文献１参照）。
【先行技術文献】
【特許文献】
【０００４】
【特許文献１】特開２００５−１８４１４７号公報
【発明の概要】
【発明が解決しようとする課題】
【０００５】
上述した第１の携帯端末は、第１筐体と第２筐体とが開状態の場合に、メインディスプレイのみに画像を表示させ、第１筐体と第２筐体とが閉状態の場合に、サブディスプレイのみに画像を表示させる。第１の携帯端末は、第１筐体と第２筐体とが開状態又は閉状態の場合に、それぞれサブディスプレイ又はメインディスプレイが使用されないので、表示デバイスの利用効率が悪いという課題があった。
【０００６】
また、携帯端末は、通常、所定の時間、キー操作部が操作されない場合に、省電力モードに移行する。携帯端末が省電力モードに移行した場合、表示デバイスにバックライトが使用されているときには、そのバックライトは、消灯される又は輝度を落とすよう制御される。ところが、第１及び第２の携帯端末は、通話中等において省電力モードに移行した場合、基地局と携帯端末とを接続する電波の状態や、携帯端末の電源となる２次電池の充電量等をユーザが確認するためには、キー操作部を操作して省電力モードを解除する必要がある。したがって、第１及び第２の携帯端末は、省電力モードを解除するためにはキー操作部の操作が必要なため不便であり、また電波の状態や充電量等を直ぐに確認することができない。
【０００７】
本発明は、表示デバイスを有効に活用することが可能な携帯端末を提供することを目的とする。
【課題を解決するための手段】
【０００８】
本発明の携帯端末は、メインディスプレイと、透明サブディスプレイと、一方の面及び他方の面のそれぞれから前記透明サブディスプレイを視認可能にするために配置された開口部とを有する第１筐体と、キー操作部を有する第２筐体と、前記第１筐体の一方の端部と前記第２筐体の他方の端部とを結合する共に、当該結合部分に形成される回転軸を中心にして前記第１筐体を前記第２筐体に対して相対的に回転させることにより、前記第１筐体と前記第２筐体とを開状態又は閉状態に遷移可能にするヒンジ部と、前記第１筐体と前記第２筐体との開状態及び閉状態を検出する検出部と、前記検出部により開状態が検出された場合には、付加情報を第１の向きにして前記透明サブディスプレイに表示させるよう制御すると共に、前記メインディスプレイに主情報を表示させるよう制御し、前記検出部により閉状態が検出された場合には、付加情報を、第１の向きを反転させた第２の向きにして前記透明サブディスプレイに表示させるよう制御する制御部と、を備えることを特徴とする。
【０００９】
また、前記携帯端末は、通信部と、電源部と、をさらに備え、前記キー操作部は、複数のキーと、前記第２筐体の内側に配置されて、前記キーの照明となる発光部とを備え、前記複数のキーのうちの一部の第１キーは、前記第１筐体と前記第２筐体とが閉状態となる場合に、前記透明サブディスプレイに対向する位置に配置され、前記第１キーに対応して配置された発光部は、前記通信部により検知した電話の着信、前記通信部により検知したメールの受信、及び前記電源部における容量の状態のうち少なくとも１つを報知することが好ましい。
【００１０】
また、前記制御部は、前記メインディスプレイにおいて消費される電力が省電力化されるように、前記メインディスプレイを省電力モードに移行させることが可能であり、前記メインディスプレイを省電力モードに移行させるよう制御した状態において、前記通信部を利用して電話の通話が行われる場合には、前記透明サブディスプレイのみ表示を行わせることが好ましい。
【００１１】
また、前記透明サブディスプレイは、前記第１筐体において、前記メインディスプレイよりも、一方の端部側、又は前記一方の端部とは反対の他方の端部側に配置されることが好ましい。
【００１２】
また、前記付加情報は、任意に設定可能であることが好ましい。
【発明の効果】
【００１３】
本発明によれば、表示デバイスを有効に活用することができる。
【図面の簡単な説明】
【００１４】
【図１】本発明の携帯端末の一実施形態に係る携帯電話機の開状態における外観を説明するための図である。
【図２】携帯電話機の閉状態における外観を説明するための図である。
【図３】図２のＡ−Ａ線における概略断面図である。
【図４】携帯電話機が機能を発揮するための構成を示す機能ブロック図である。
【図５】透明サブディスプレイに表示される付加情報を更新する場合の携帯電話機の動作について説明するためのフローチャートである。
【図６】通話時間の表示制御を行うときの携帯電話機の動作について説明するためのフローチャートである。
【発明を実施するための形態】
【００１５】
以下、本発明の実施形態について説明する。図１は、本発明の携帯端末の一実施形態に係る携帯電話機１の開状態における外観を説明するための図である。また、図２は、携帯電話機１の閉状態における外観を説明するための図である。図３は、図２のＡ−Ａ線における概略断面図である。なお、図３では、携帯電話機１の内部に配置される構成要素の記載を省略している。
【００１６】
図１に示すように、携帯電話機１は、いわゆる折り畳み型の携帯電話機１であり、表示部側筐体（第１筐体）２と、操作部側筐体（第２筐体）３と、表示部側筐体２と操作部側筐体３とを結合するヒンジ部４とを備える。
表示部側筐体２は、種々の画像を表示する表示デバイス（メインディスプレイ２１及び透明サブディスプレイ２２）と、開口部２３（図３参照）と、通話の相手側の音声を出力するスピーカ２４とを備える。
メインディスプレイ２１は、表示部側筐体２の前面（一方の面）２ａ側に配置される。このメインディスプレイ２１は、例えば、有機ＥＬ（エレクトロルミネッセンス）ディスプレイや液晶ディスプレイ等であればよい。
【００１７】
透明サブディスプレイ２２は、表示部側筐体２の前面２ａ及び背面（他方の面）２ｂの両方から視認することができるように配置される。すなわち、透明サブディスプレイ２２は、図３に示すように、表示部側筐体２の前面２ａ及び背面２ｂのそれぞれに設けられた開口部２３（２３ａ，２３ｂ）の中央付近に配置される。開口部２３は、表示部側筐体２の前面２ａ及び背面２ｂのそれぞれから透明サブディスプレイ２２を視認可能にするために、表示部側筐体２に配置される。なお、透明サブディスプレイ２２は、開口部２３の中央付近に配置されるばかりでなく、表示部側筐体２の前面２ａ側に配置されてもよく、又は表示部側筐体２の背面２ｂ側に配置されてもよい。この場合、開口部２３は、それぞれ、表示部側筐体２の背面２ｂ側のみに設けられ、又は表示部側筐体２の前面２ａ側のみに設けられる。この透明サブディスプレイ２２は、例えば、有機ＥＬディスプレイや液晶ディスプレイ等であればよい。透明サブディスプレイ２２は、前面２２ａ及び背面２２ｂのいずれからも画像を視認させることが可能である。
【００１８】
透明サブディスプレイ２２は、表示部側筐体２において、メインディスプレイ２１よりも、下端部２ｃ側（一方の端部側）、又は下端部２ｃとは反対の上端部２ｄ側（他方の端部側）に配置されることが好ましい。なお、本実施形態では、図１に示すように、透明サブディスプレイ２２は、表示部側筐体２において、メインディスプレイ２１よりも上端部２ｄ側に配置されている。これにより、携帯電話機１は、メインディスプレイ２１と透明サブディスプレイ２２とがそれぞれ異なる情報を表示するので、メインディスプレイ２１と透明サブディスプレイ２２とを有効に活用することができる。
【００１９】
操作部側筐体３は、キー操作部３１と、携帯電話機１の使用者が通話時に発した音声を入力するマイク３２とを備える。キー操作部３１は、操作部側筐体３の前面３ａに配置される複数のキー３１１を備える。複数のキー３１１は、各種設定や電話帳機能やメール機能等の各種機能を作動させるための機能設定キーと、電話番号の数字やメール等の文字等を入力するための入力キーと、各種操作における決定やスクロール等を行う決定キーとを備える。
【００２０】
ヒンジ部４は、表示部側筐体２の下端部２ｃ（一方の端部）と操作部側筐体３の上端部（他方の端部）３ｄとを結合する共に、この結合部分に形成される回転軸を中心にして表示部側筐体２を操作部側筐体３に対して相対的に回転させることにより、表示部側筐体２と操作部側筐体３とを開状態（図１参照）又は閉状態（図２及び図３参照）に遷移可能にする。
【００２１】
このように構成される携帯電話機１は、メインディスプレイ２１及び透明サブディスプレイ２２を有効に活用する機能を有する。
以下に、携帯電話機１に係る上記機能を発揮するための構成と動作について詳述する。まず、本実施形態に係る携帯電話機１の上記機能を発揮するための構成について、図４を参照しながら説明する。図４は、携帯電話機１が上記機能を発揮するための構成を示す機能ブロック図である。
【００２２】
携帯電話機１は、検出部３３と、制御部３４とを備える。
検出部３３は、表示部側筐体２と操作部側筐体３との開状態及び閉状態を検出する。以下では、表示部側筐体２と操作部側筐体３との開状態を「携帯電話機１の開状態」等といい、表示部側筐体２と操作部側筐体３との閉状態を「携帯電話機１の閉状態」等という場合がある。検出部３３は、携帯電話機１が開状態になっているか、又は携帯電話機１が閉状態になっているかを検出することができるものであれば如何なるものであってもよい。具体的な一例としては、検出部３３は、ホール素子と磁石とを利用するものであればよい。ホール素子は、操作部側筐体３に配置され、磁石は、表示部側筐体２に配置される。携帯電話機１が閉状態になった場合、ホール素子には、磁石による磁界に基づいて電界が誘起される。検出部３３は、その電界を検出することに基づいて、表示部側筐体２と操作部側筐体３との閉状態を検出する。一方、検出部３３は、電界を検出しない場合には、表示部側筐体２と操作部側筐体３との開状態を検出する。
【００２３】
制御部３４は、検出部３３により開状態が検出された場合には、付加情報を第１の向きにして透明サブディスプレイ２２に表示させるよう制御すると共に、メインディスプレイ２１に主情報を表示させるよう制御する。また、制御部３４は、検出部３３により閉状態が検出された場合には、付加情報を、第１の向きを反転させた第２の向きにして透明サブディスプレイ２２に表示させるよう制御する。
【００２４】
付加情報とは、例えば、日付、時刻、基地局（図示せず）と携帯電話機１とを接続する電波の状態、携帯電話機１の各部に電力を供給する電源部３５の状態（充電量）、メール受信、マナーモード設定、通話時間等の情報（文字や数字やアイコン）のことである。透明サブディスプレイ２２に表示される付加情報は、任意に設定可能である。本実施形態において、透明サブディスプレイ２２に表示される付加情報は、図１及び図２に示すように、左側から順に、充電量、電波の状態、時刻及びメール受信の情報である。携帯電話機１は、透明サブディスプレイ２２に表示される付加情報を任意に設定可能としたことにより、ユーザにとって必要な付加情報をそのユーザに提供することができる。
また、主情報とは、例えば、携帯電話機１に登録される電話帳情報やスケジュール情報等のことである。
【００２５】
制御部３４は、検出部３３により携帯電話機１の開状態が検出された場合には、図１に示すように、表示部側筐体２の上端部２ｄ側を文字等の上方向とすると共に、表示部側筐体２の前面２ａ側から文字等を読むことができるようにして、付加情報を透明サブディスプレイ２２に表示させるよう制御する。また、制御部３４は、検出部３３により携帯電話機１の開状態が検出された場合には、主情報をメインディスプレイ２１に表示させるよう制御する。
【００２６】
一方、制御部３４は、検出部３３により携帯電話機１の閉状態が検出された場合には、図２に示すように、表示部側筐体２の下端部２ｃ側を文字等の上方向とすると共に、表示部側筐体２の背面２ｂ側から文字等を読むことができるようにして、付加情報を透明サブディスプレイ２２に表示させるよう制御する。また、制御部３４は、検出部３３により携帯電話機１の閉状態が検出された場合には、メインディスプレイ２１をオフ状態（電源部３５からメインディスプレイ２１に電力を供給しない状態）にする。
【００２７】
このような携帯電話機１は、検出部３３により開状態が検出された場合には、制御部３４が、表示部側筐体２の上端部２ｄ側を文字等の上方向にして、付加情報を透明サブディスプレイ２２に表示させるよう制御する一方、検出部３３により閉状態が検出された場合には、制御部３４が、表示部側筐体２の下端部２ｃ側を文字等の上方向にして、付加情報を透明サブディスプレイ２２に表示させるよう制御する。これにより、携帯電話機１は、開状態及び閉状態のいずれの場合でも透明サブディスプレイ２２に付加情報を表示させることができ、透明サブディスプレイ２２を有効に活用することができる。
【００２８】
また、携帯電話機１は、表示部側筐体２の前面２ａ側から視認可能な２つの表示デバイス（透明サブディスプレイ２２及びメインディスプレイ２１）を備え、付加情報を透明サブディスプレイ２２に表示し、主情報をメインディスプレイ２１に表示するので、付加情報と主情報とが共にメインディスプレイに表示されるときに発生する付加情報と主情報との重なりを解消することができ、さらに、メインディスプレイ２１を有効に活用することができる。
【００２９】
携帯電話機１は、基地局（図示せず）との間で通信を行う通信部３６を備える。
また、キー操作部３１は、複数のキー３１１と、操作部側筐体３の内側に配置されて、キー３１１の照明となる発光部３１２とを備える。複数のキー３１１のうちの一部の第１キー３１１ａ（本実施形態では３つの第１キー３１１ａ）は、図３に示すように、表示部側筐体２と操作部側筐体３とが閉状態となる場合に、透明サブディスプレイ２２に対向する位置に配置される。これにより、第１キー３１１ａは、表示部側筐体２と操作部側筐体３とが閉状態となる場合に、透明サブディスプレイ２２を介して視認可能となる。第１キー３１１ａは、上記の入力キーや、上記の機能設定キーである。特に、本実施形態の場合、３つの第１キー３１１ａのうちの２つは、電話機能を利用するためのオンフックキーと、メール機能を利用するためのメールキーであることが好ましい。
【００３０】
第１キー３１１ａの照明となる発光部３１２ａは、１つの第１キー３１１ａに対して１つ割り当てられる。また、第１キー３１１ａ以外のキー３１１の照明となる発光部３１２は、単数又は複数のキー３１１に対して１つ割り当てられる。発光部３１２は、例えば、発光ダイオード等から構成され、キー３１１の裏面側に配置される。
【００３１】
第１キー３１１ａに対応して配置された発光部３１２ａ（第１キー３１１ａの照明となる発光部３１２ａ）は、通信部３６により検知した電話の着信、通信部３６により検知したメールの受信、及び電源部３５における容量の状態のうち少なくとも１つを報知する。この発光部３１２ａによる報知は、携帯電話機１が閉状態のときに行われることが好ましい。すなわち、電話の着信があった場合、制御部３４は、着信したことをユーザに知らせるために、３つの第１キー３１１ａのうちの所定の第１キー（上記のオンフックキー）に対応して配置された発光部３１２ａを点滅させるよう制御する。
【００３２】
また、メールを受信した場合、制御部３４は、メールを受信したことをユーザに知らせるために、３つの第１キー３１１ａのうちの所定の第１キーに対応して配置された発光部３１２ａを点滅させるよう制御する。本実施形態の場合、透明サブディスプレイ２２にメールを受信したことを表すアイコン（メール受信アイコン）が表示されるので、制御部３４は、携帯電話機１が閉状態のときに、透明サブディスプレイ２２に表示されるメール受信アイコンと平面視して重なる位置に配置される所定の第１キー３１１ａの発光部３１２ａを点滅させるよう制御してもよい。なお、この所定の第１キー３１１ａは、上記のメールキーであることが好ましい。
【００３３】
さらに、電源部３５の容量が小さくなった場合（充電量が少なくなった場合）、制御部３４は、充電量が少なくなったことをユーザに知らせるために、３つの第１キー３１１ａのうちの所定の第１キーに対応して配置された発光部３１２ａを点滅させるよう制御する。本実施形態の場合、透明サブディスプレイ２２に充電量を表すアイコン（充電量アイコン）が表示されるので、制御部３４は、携帯電話機１が閉状態のときに、充電量アイコンと平面視して重なる位置に配置される所定の第１キー３１１ａの発光部３１２ａを点滅させるよう制御してもよい。
【００３４】
なお、第１キー３１１ａに対応して配置される発光部３１２ａは、複数の色を発光することができるものであってもよい。この場合、制御部３４は、報知する内容に応じて、発光部３１２ａから出射される光の色を変えるよう制御する。
【００３５】
具体的な一例として充電量の報知を行う場合を説明すると、制御部３４は、充電量に応じて、発光部３１２ａから出射される光の色を変えるよう制御する。発光部３１２ａは、緑色を発光する緑色発光ダイオードと、赤色を発光する赤色発光ダイオードとから構成される。制御部３４は、充電量が十分にあるときには緑色発光ダイオードを発光させ、充電量が半分程度になったときには緑色発光ダイオード及び赤色発光ダイオードのそれぞれを発光させてオレンジ色の光を得て、充電量が少なくなったときには赤色発光ダイオードを発光させる。これにより、充電量の状態を容易に知らせることができる。
【００３６】
このような携帯電話機１は、携帯電話機１が開状態の場合に、第１キー３１１ａに対応して配置された発光部３１２ａをその第１キー３１１ａの照明として利用し、携帯電話機１が閉状態の場合に、第１キー３１１ａに対応して配置された発光部３１２ａを電話が着信したこと、メールを受信したこと又は電源部３５の充電量についての報知手段として利用する。したがって、携帯電話機１は、第１キー３１１ａに対応して配置される発光部３１２ａの利用効率を高めることができる。
【００３７】
なお、従来の携帯電話機は、上記の電話の着信等を報知する報知手段をキー（発光部）とは別に設ける必要があった。この点、本実施形態の携帯電話機１は、第１キー３１１ａに対応して配置される発光部３１２ａが報知手段を兼ねるため、携帯電話機１に搭載される部品の配置に余裕ができ、携帯電話機１の小型化にも寄与する。
【００３８】
また、制御部３４は、メインディスプレイ２１において消費される電力が省電力化されるように、メインディスプレイ２１を省電力モードに移行させることが可能である。制御部３４は、メインディスプレイ２１を省電力モードに移行させるよう制御した状態において、通信部３６を利用して電話の通話が行われる場合には、透明サブディスプレイ２２のみ表示を行わせる。
【００３９】
すなわち、携帯電話機１が省電力モードに移行した場合、制御部３４は、メインディスプレイ２１については省電力化を行うよう制御し、透明サブディスプレイ２２については省電力化を行わずに、透明サブディスプレイ２２に付加情報を表示させるよう制御する。
【００４０】
制御部３４は、メインディスプレイ２１がバックライト（図示せず）を備える場合（例えば、液晶ディスプレイの場合）において、メインディスプレイ２１を省電力化するときには、例えば、バックライトを消灯させる又はバックライトの輝度を低くするよう制御すればよい。
また、制御部３４は、メインディスプレイ２１がバックライトを備えていない場合（例えば、有機ＥＬディスプレイの場合）において、メインディスプレイ２１を省電力化するときには、例えば、自発光素子（有機ＥＬ素子：図示せず）への電力供給を停止し又は自発光素子へ供給される電力を小さくするよう制御すればよい。
【００４１】
このような携帯電話機１は、省電力モードに移行した場合、メインディスプレイ２１の省電力を行う一方、透明サブディスプレイ２２には付加情報を表示させ続けるので、透明サブディスプレイ２２の利用効率を高めることができる。
【００４２】
また、携帯電話機１は、メインディスプレイ２１と透明サブディスプレイ２２とのそれぞれを備えるので、メインディスプレイ２１が省電力化されている場合でも、ユーザがキー操作部３１を操作することなく、電波状態、充電量、通話時間等の付加情報をユーザに知らせることができる。すなわち、携帯電話機１は、消費電力を配慮しながらもいつでも付加情報を確認させることができる。
【００４３】
次に、上述した携帯電話機１の動作について説明する。
まず、電話の発着信やメールの送受信等の種々の処理の発生を携帯電話機１が待ち受けている場合に、透明サブディスプレイ２２に表示される付加情報を更新するときの携帯電話機１の動作について説明する。図５は、透明サブディスプレイ２２に表示される付加情報を更新する場合の携帯電話機１の動作について説明するためのフローチャートである。
【００４４】
ステップＳ１０１において、制御部３４は、透明サブディスプレイ２２に表示される時計の時刻が進むことにより、時計表示の更新が必要であるか否かを判断する。時計表示の更新が必要な場合（Ｙｅｓ）には、ステップＳ１０４に進む。時計表示の更新が必要ではない場合（Ｎｏ）には、ステップＳ１０２に進む。
【００４５】
ステップＳ１０２において、制御部３４は、電源部３５の充電量が変わることにより、透明サブディスプレイ２２に表示される充電量アイコン（バッテリピクト）の更新が必要であるか否かを判断する。バッテリピクトの更新が必要な場合（Ｙｅｓ）には、ステップＳ１０４に進む。バッテリピクトの更新が必要ではない場合（Ｎｏ）には、ステップＳ１０３に進む。
【００４６】
ステップＳ１０３において、制御部３４は、基地局（図示せず）と携帯電話機１とを接続する電波の状態が変わることにより、透明サブディスプレイ２２に表示される電波の状態を表すアイコン（アンテナピクト）の更新が必要であるか否かを判断する。アンテナピクトの更新が必要な場合（Ｙｅｓ）には、ステップＳ１０４に進む。アンテナピクトの更新が必要ではない場合（Ｎｏ）には、ステップＳ１０１に戻る。
【００４７】
ステップＳ１０４において、制御部３４は、ステップＳ１０１、ステップＳ１０２又はステップＳ１０３により更新が必要である判断された付加情報について、更新された付加情報（更新後の表示用データ）を作成する。
【００４８】
ステップＳ１０５において、制御部３４は、携帯電話機１が開状態であるか否かを判断する。携帯電話機１が開状態である場合（Ｙｅｓ）には、ステップＳ１０６に進む。携帯電話機１が開状態ではない場合（Ｎｏ）には、ステップＳ１０７に進む。
【００４９】
ステップＳ１０６において、制御部３４は、ステップＳ１０４の処理により作成された表示用データを透明サブディスプレイ２２に表示させるよう、透明サブディスプレイ２２の付加情報を更新する。このとき、制御部３４は、表示部側筐体２の上端部２ｄ側を付加情報（文字等）の上方向とすると共に、表示部側筐体２の前面２ａ側から文字等を読むことができるようにして、その付加情報を透明サブディスプレイ２２に表示（反転表示）させる。
【００５０】
ステップＳ１０７において、制御部３４は、ステップＳ１０４の処理により作成された表示用データを透明サブディスプレイ２２に表示させるよう、透明サブディスプレイ２２の付加情報を更新する。このとき、制御部３４は、表示部側筐体２の下端部２ｃ側を付加情報（文字等）の上方向とすると共に、表示部側筐体２の背面２ｂ側から文字等を読むことができるようにして、その付加情報を透明サブディスプレイ２２に表示（通常表示）させる。
これにより、携帯電話機１は、開状態及び閉状態のいずれの場合でも透明サブディスプレイ２２に付加情報を表示させることができ、透明サブディスプレイ２２を有効に活用することができる。
【００５１】
次に、通話を開始した場合に、通話時間の表示制御を行うときの携帯電話機１の動作について説明する。図６は、通話時間の表示制御を行うときの携帯電話機１の動作について説明するためのフローチャートである。
【００５２】
ステップＳ２０１において、制御部３４は、メインディスプレイ２１が省電力中であるか否かを判断する。すなわち、制御部３４は、メインディスプレイ２１の省電力化を行うための制御をしているか否か判断する。メインディスプレイ２１が省電力中の場合（Ｙｅｓ）には、ステップＳ２０２に進む。メインディスプレイ２１が省電力中ではない場合（Ｎｏ）には、ステップＳ２０３に進む。
【００５３】
ステップＳ２０２において、制御部３４は、通話時間を透明サブディスプレイ２２に表示するよう制御する。
ステップＳ２０３において、制御部３４は、通話時間をメインディスプレイ２１に表示するよう制御する。
これにより、携帯電話機１は、消費電力を配慮しながらもいつでも通話時間をユーザに確認させることができる。
【００５４】
なお、上述した実施形態では、メインディスプレイ２１及び透明サブディスプレイ２２の２つの表示デバイスを備える携帯電話機１について説明した。しかしながら、本発明は、この実施形態に限定されることはない。すなわち、携帯電話機は、１つの表示デバイスを備え、その表示デバイスのうちの一部の領域をメインディスプレイとし、他の領域を透明サブディスプレイとしてもよい。
【００５５】
また、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）等の携帯端末にも適用することができる。
【符号の説明】
【００５６】
１  携帯電話機（携帯端末）
２  表示部側筐体（第１筐体）
２１  メインディスプレイ
２２  透明サブディスプレイ
３３  検出部
３４  制御部
３１１ａ  第１キー
３１２  発光部
【図１】
2011155439.tif 000003
【図２】
2011155439.tif 000004
【図３】
2011155439.tif 000005
【図４】
2011155439.tif 000006
【図５】
2011155439.tif 000007
【図６】
2011155439.tif 000008
【手続補正書】
【提出日】平成22年9月10日(2010.9.10)
【手続補正１】
【補正対象書類名】明細書
【補正対象項目名】００２９
【補正方法】変更
【補正の内容】
【００２９】
携帯電話機１は、基地局（図示せず）との間で通信を行う通信部３６を備える。
また、キー操作部３１は、複数のキー３１１と、操作部側筐体３の内側に配置されて、キー３１１の照明となる発光部３１２とを備える。複数のキー３１１のうちの一部の第１キー３１１ａ（本実施形態では３つの第１キー３１１ａ）は、図３に示すように、表示部側筐体２と操作部側筐体３とが閉状態となる場合に、透明サブディスプレイ２２に対向する位置に配置される。これにより、第１キー３１１ａは、表示部側筐体２と操作部側筐体３とが閉状態となる場合に、透明サブディスプレイ２２を介して視認可能となる。第１キー３１１ａは、上記の入力キーや、上記の機能設定キーである。特に、本実施形態の場合、３つの第１キー３１１ａのうちの２つは、電話機能を利用するためのオフフックキーと、メール機能を利用するためのメールキーであることが好ましい。
【手続補正２】
【補正対象書類名】明細書
【補正対象項目名】００３１
【補正方法】変更
【補正の内容】
【００３１】
第１キー３１１ａに対応して配置された発光部３１２ａ（第１キー３１１ａの照明となる発光部３１２ａ）は、通信部３６により検知した電話の着信、通信部３６により検知したメールの受信、及び電源部３５における容量の状態のうち少なくとも１つを報知する。この発光部３１２ａによる報知は、携帯電話機１が閉状態のときに行われることが好ましい。すなわち、電話の着信があった場合、制御部３４は、着信したことをユーザに知らせるために、３つの第１キー３１１ａのうちの所定の第１キー（上記のオフフックキー）に対応して配置された発光部３１２ａを点滅させるよう制御する。